(57)【要約】【解決手段】絵柄瓦ユニット１においては、複数の瓦２を互いに並べて屋根材として配置する特定並設状態Ｐで、瓦２の表面に描いた絵柄片９ａが互いに組み合わされて纏まった絵柄９が施される。各瓦２には特定並設状態Ｐにおける各瓦２の配置位置を特定することができる識別符号３を表示した。複数の瓦２を互いに並べて屋根材として配置する特定並設状態Ｐにある各瓦２の表面に、纏まった絵柄９に相当する塗布孔を有する塗布板を重ね、その塗布板の塗布孔で露出する各瓦２の表面に絵付け材を塗布する。特定並設状態Ｐにおける各瓦２の識別符号３の配置と同様に識別符号を配置した瓦配置見本を設け、瓦ユニット１の各瓦２をその瓦配置見本に従って並べて屋根材として配置する。【効果】絵柄瓦ユニット１を屋根に特定並設状態Ｐで設置すると、屋根に絵柄９が描かれ、瓦屋根の意匠的効果を向上させることができる。【選択図】図５
2007211427.tif 000002
【特許請求の範囲】
【請求項１】
複数の瓦を互いに並べて屋根材として配置する特定並設状態で、瓦の表面に描いた絵柄片が互いに組み合わされて纏まった絵柄が施されることを特徴とする絵柄瓦ユニット。
【請求項２】
前記各瓦には前記特定並設状態における各瓦の配置位置を特定することができる識別符号を表示したことを特徴とする請求項１に記載の絵柄瓦ユニット。
【請求項３】
複数の瓦を互いに並べて屋根材として配置する特定並設状態にある各瓦の表面に、纏まった絵柄に相当する塗布孔を有する塗布部材を重ね、その塗布部材の塗布孔で露出する各瓦の表面に絵付け材を塗布することを特徴とする瓦ユニットに対する絵付け方法。
【請求項４】
複数の瓦を互いに並べて屋根材として配置する特定並設状態で位置決めする固定部材と、
纏まった絵柄に相当する塗布孔を有し、この特定並設状態にある各瓦の表面に重ねられた状態でこの塗布孔から各瓦の表面が露出する塗布部材と
を備えたことを特徴とする瓦ユニットに対する絵付け装置。
【請求項５】
前記塗布部材は前記特定並設状態にある各瓦の表面に面する内側で柔軟材を有していることを特徴とする請求項４に記載の瓦ユニットに対する絵付け装置。
【請求項６】
請求項２に記載の瓦ユニットの各瓦を互いに並べて屋根材として配置する特定並設状態における各瓦の識別符号の配置と同様に識別符号を配置した瓦配置見本を設け、請求項２に記載の瓦ユニットの各瓦をその瓦配置見本に従って並べて屋根材として配置することを特徴とする絵柄瓦ユニットの瓦敷き方法。
【発明の詳細な説明】
【技術分野】
【０００１】
本発明は、互いに組み合わされて纏まった絵柄が施される絵柄瓦ユニット、その瓦ユニットに絵付けする方法、その瓦ユニットに絵付けする装置、その絵柄瓦ユニットを瓦敷きする方法に関するものである。
【背景技術】
【０００２】
従来、屋根に敷かれた瓦群としては、意匠的効果を発揮させる明確な目的で纏まった絵柄が描かれたものは見当たらない。
【発明の開示】
【発明が解決しようとする課題】
【０００３】
そのため、従来の瓦屋根は意匠的効果に劣る欠点があった。
この発明は、瓦屋根の意匠的効果を向上させる絵柄瓦ユニットを提供するとともに、その瓦ユニットに対する絵付け方法及び装置やその絵柄瓦ユニットの瓦敷き方法を提供することを目的としている。
【課題を解決するための手段】
【０００４】
後記実施形態の図面（図１〜７）の符号を援用して本発明を説明する。
請求項１の発明にかかる絵柄瓦ユニット１においては、複数の瓦２を互いに並べて屋根材として配置する特定並設状態Ｐで、瓦２の表面に描いた絵柄片９ａが互いに組み合わされて纏まった絵柄９が施される。ここに絵柄９及び絵柄片９ａは、広く解釈し、意匠的効果を発揮するすべてのものを含む概念で用いる。
【０００５】
請求項１の発明を前提とする請求項２の発明において、前記各瓦２には前記特定並設状態Ｐにおける各瓦２の配置位置を特定することができる識別符号３を表示した。ここに識別符号３は、広く解釈し、後記実施形態の連続番号のほか、アルファベットや平仮名やカタカナや漢字など、各瓦２を互いに区別することができるすべてのものを含む概念で用いる。
【０００６】
請求項３の発明にかかる瓦ユニット１に対する絵付け方法においては、複数の瓦２を互いに並べて屋根材として配置する特定並設状態Ｐにある各瓦２の表面に、纏まった絵柄９に相当する塗布孔８を有する塗布部材５を重ね、その塗布部材５の塗布孔８で露出する各瓦２の表面に絵付け材を塗布する。
【０００７】
請求項４の発明にかかる瓦ユニット１に対する絵付け装置においては、複数の瓦２を互いに並べて屋根材として配置する特定並設状態Ｐで位置決めする固定部材４と、纏まった絵柄９に相当する塗布孔８を有し、この特定並設状態Ｐにある各瓦２の表面に重ねられた状態でこの塗布孔８から各瓦２の表面が露出する塗布部材５とを備えた。
【０００８】
請求項４の発明を前提とする請求項５の発明において、前記塗布部材５は前記特定並設状態Ｐにある各瓦２の表面に面する内側で柔軟材７を有している。
請求項６の発明にかかる絵柄瓦ユニット１の瓦敷き方法においては、請求項２の発明に記載の瓦ユニット１の各瓦２を互いに並べて屋根材として配置する特定並設状態Ｐにおける各瓦２の識別符号３の配置と同様に識別符号１０ａを配置した瓦配置見本１０を設け、請求項２の発明に記載の瓦ユニット１の各瓦２をその瓦配置見本１０に従って並べて屋根材として配置する。
【発明の効果】
【０００９】
請求項１の発明では、絵柄瓦ユニット１を屋根１１に特定並設状態Ｐで設置すると、屋根１１に絵柄９が描かれ、瓦屋根の意匠的効果を向上させることができる。
請求項２の発明では、識別符号３を利用して絵柄瓦ユニット１の各瓦２を特定並設状態Ｐに配置し易い。
【００１０】
請求項３の発明では、特定並設状態Ｐにある瓦ユニット１に絵柄９を簡単に描くことができる。
請求項４の発明では、特定並設状態Ｐにある瓦ユニット１に絵柄９を簡単に描くことができる。
【００１１】
請求項５の発明では、特定並設状態Ｐにある各瓦２の表面形状に変化があってもその変化に応じて柔軟材７が撓んで塗布孔８を仕切ることができる。
請求項６の発明では、瓦配置見本１０を利用して絵柄瓦ユニット１の各瓦２を屋根１１に簡単に敷くことができる。
【発明を実施するための最良の形態】
【００１２】
以下、本発明の一実施形態について図１〜７を参照して説明する。
図１（ａ）（ｂ）（ｃ）に示す陶器瓦の概略的製造工程と図２（ａ）に示すいぶし瓦の概略的製造工程では、いずれも、配合した粘土を瓦の形に成形し、その瓦を乾燥する。図１（ａ）では、乾燥後の瓦に絵付処理を施してその絵付瓦を焼成する。図１（ｂ）では、乾燥後の瓦に施釉処理を施した後に、その施釉瓦に絵付処理を施してその絵付瓦を焼成する。図１（ｃ）では、乾燥後の瓦に施釉処理を施した後にその施釉瓦を焼成し、その焼成瓦に絵付処理を施してその絵付瓦を焼成する。図２（ａ）では、乾燥後の瓦を焼成した後に、その焼成瓦に絵付処理を施してその絵付瓦を焼成する。図２（ｂ）に示すセメント瓦の概略的製造工程では、配合した原料を瓦の形に成形してその瓦を乾燥し、乾燥後の瓦を養生した後にその養生瓦に絵付処理を施す。これらの概略的製造工程は、以下詳述する絵付処理以外、従来周知のものである。
【００１３】
図３（ａ）で概略的に示す瓦ユニット１の各瓦２（図１（ａ）では乾燥瓦、図１（ｂ）では施釉瓦、図１（ｃ）では焼成瓦、図２（ａ）では焼成瓦、図２（ｂ）では養生瓦）においては、それぞれ識別符号３（例えば連続番号）が目立たないように小さく表示されている。
【００１４】
図３（ｂ）で概略的に示す固定部材としての固定枠４は底壁４ａと周壁４ｂとからなる。図４（ａ）に示すように、この固定枠４において前記瓦ユニット１の各瓦２を周壁４ｂの内側で底壁４ａ上に互いに並べて実際の屋根材として配置する特定並設状態Ｐで位置決めする。なお、各瓦２の識別符号３において、瓦ユニット１の特定並設状態Ｐで下側になる瓦２の識別符号３が上側になる瓦２により隠される。
【００１５】
図４（ｂ）に示すように、前記固定枠４において塗布部材としての塗布板５を周壁４ｂの内側に嵌め込んで底壁４ａ上の各瓦２の表面に載せる。この塗布板５においては、図４（ｃ）に示すように、基板６の内側にスポンジなどの柔軟材７が貼られ、この基板６及び柔軟材７に塗布孔８が形成されている。各瓦２の表面はこの柔軟材７の押接面７ａに面し、その表面の一部はこの塗布孔８で露出する。この柔軟材７の押接面７ａが各瓦２の表面形状にほぼ合わせて撓むため、塗布孔８がこの柔軟材７の側面７ｂにより仕切られる。
【００１６】
前記塗布板５の塗布孔８に絵付け材を吹き付けると、その塗布孔８で露出する各瓦２の表面の一部にこの絵付け材が塗布される。その後、図５（ａ）に示すように、塗布板５を固定枠４上から取り外すと、塗布孔８で露出する瓦ユニット１の表面に纏まった絵柄９が描かれる。
【００１７】
図５（ｂ）に示すように、絵柄瓦ユニット１の各瓦２を固定枠４から取り出して互いに分離すると、纏まった絵柄９の一部である絵柄片９ａが各瓦２に描かれる。
図６に示すシート状の瓦配置見本１０においては、前記瓦ユニット１の特定並設状態Ｐにおける各瓦２の識別符号３の配置と同様に識別符号１０ａが配置されている。図７に示すように屋根１１に対する実際の瓦敷きにおいて、図５（ｂ）に示す絵柄瓦ユニット１の各瓦２の識別符号３の配置が瓦配置見本１０の識別符号１０ａの配置と同一になるように、各瓦２を屋根材として並べると、絵柄瓦ユニット１の各絵柄片９ａが前記特定並設状態Ｐで互いに組み合わされて屋根１１の一部に纏まった絵柄９が施される。
【図面の簡単な説明】
【００１８】
【図１】（ａ）（ｂ）（ｃ）はそれぞれ陶器瓦の概略的製造工程図である。
【図２】（ａ）はいぶし瓦の概略的製造工程図であり、（ｂ）はセメント瓦の概略的製造工程図である。
【図３】（ａ）は絵付前の瓦ユニットを互いに分離して示す平面図であり、（ｂ）は絵付用固定枠を示す平面図である。
【図４】（ａ）は上記瓦ユニットを上記絵付用固定枠内で互いに組み付けた特定並設状態を示す平面図であり、（ｂ）は（ａ）の状態にある絵付用固定枠内で瓦ユニット上に絵付用塗布板を重ねた状態を示す平面図であり、（ｃ）は（ｂ）に示す絵付用塗布板の部分断面図である。
【図５】（ａ）は図４（ｂ）の状態で絵付した後に絵付用塗布板を絵付用固定枠から取り外した状態を示す平面図であり、（ｂ）は絵付後の瓦ユニットを互いに分離して示す平面図である。
【図６】図５（ｂ）に示す絵付後の瓦ユニットを互いに組み付けて屋根に設置する際に瓦の配置状態の見本となる瓦配置見本を示す平面図である。
【図７】図５（ｂ）に示す絵付後の瓦ユニットを互いに組み付けて屋根に設置した状態を示す部分正面図である。
【符号の説明】
【００１９】
１…瓦ユニット、２…瓦、３…識別符号、４…固定部材としての固定枠、５…塗布部材としての塗布板、７…柔軟材、８…塗布孔、９…纏まった絵柄、９ａ…絵柄片、１０…瓦配置見本、１０ａ…識別符号、１１…屋根、Ｐ…瓦ユニットの特定並設状態。
【図１】
2007211427.tif 000003
【図２】
2007211427.tif 000004
【図３】
2007211427.tif 000005
【図４】
2007211427.tif 000006
【図５】
2007211427.tif 000007
【図６】
2007211427.tif 000008
【図７】
2007211427.tif 000009